(57)【要約】【課題】動作情報データをソース画像データからあらかじめ分離して表示器に伝送することにより、表示器における処理負荷を軽減する。【解決手段】データ作成部２１は、ベクトル形式のソース画像データを作成するとともに、ソース画像データの図形に対応付けた動作情報データを作成する。表示器の動作にはビットマップ形式の表示用画像データが必要であるから、データ変換部２２においてソース画像データを表示用画像データに変換し、このときソース画像データから動作情報データを分離する。データ転送部２４は、表示器との間でデータ転送が可能であって画像データと動作情報データとソース画像データとの種類別にデータを表示器に転送する。【選択図】図１
2007140682.tif 000002
【特許請求の範囲】
【請求項１】
機器の動作監視および動作指示に用いられる表示器との間でデータ転送が可能であり表示器を動作させるデータを作成するデータ作成装置であって、表示器は、画像を表示する表示部および表示部の表示内容に応じた指示が可能な操作部と、表示部に表示する画像および操作部による指示内容を規定するデータを格納するメモリと、メモリに格納されたデータを用いて表示部に画像を表示するとともに操作部による指示内容を監視する制御部と、メモリに格納するデータのデータ転送が可能なインターフェースとを備え、メモリに格納されるデータは、表示部の画面の表示に用いるビットマップ形式の画像データである表示用画像データと、画像データに対応付けて操作部による指示内容を規定する動作情報データと、表示用画像データと一対一対応するソース画像データとを含んでおり、ソース画像データおよび動作情報データの作成に用いるデータ作成部と、データ作成部を用いて作成されたソース画像データを表示用画像データに変換するデータ変換部と、表示用画像データと動作情報データとソース画像データとを個別に格納するデータ記憶部と、表示器との間でデータ転送が可能であって画像データと動作情報データとソース画像データとの種類別にデータを表示器に転送するデータ転送部とを備えることを特徴とする表示器用のデータ作成装置。
【請求項２】
前記データ転送部は、前記表示器に複数画面分のデータを転送する際に、表示用画像データと動作情報データとの画面ごとの組を複数組まとめて転送した後に、複数画面分のソース画像データをまとめて転送することを特徴とする請求項１記載の表示器用のデータ作成装置。
【請求項３】
前記データ転送部は、前記表示器に複数画面分のデータを転送する際に、表示用画像データと動作情報データとの画面ごとの組を１組転送するたびにソース画像データを１画面分転送する第１の動作と、表示用画像データと動作情報データとの画面ごとの組を複数組まとめて転送した後に、複数画面分のソース画像データをまとめて転送する第２の動作とが選択可能であることを特徴とする請求項１記載の表示器用のデータ作成装置。
【請求項４】
前記データ転送部は、前記ソース画像データのみについて可逆符号方式の圧縮を行い前記表示器に転送することを特徴とする請求項１ないし請求項３のいずれか１項に記載の表示器用のデータ作成装置。
【請求項５】
前記データ転送部が、前記ソース画像データのみについて可逆符号方式の圧縮を行うか圧縮を行わないかを選択するとともに、前記表示器に転送するソース画像データに圧縮したか非圧縮であるかを識別するフラグを付加する機能を有することを特徴とする請求項１ないし請求項３のいずれか１項に記載の表示器用のデータ作成装置。
【発明の詳細な説明】
【技術分野】
【０００１】
本発明は、プログラマブルコントローラのような機器の動作監視および動作指示に用いる表示器に対して、表示器を動作させるのに必要なデータを作成するとともに転送する表示器用のデータ作成装置に関するものである。
【背景技術】
【０００２】
従来から、図６に示すように、プログラマブルコントローラ３の動作監視および動作指示のために、タッチパネル式の操作表示部を備えた表示器１が用いられている。この種の表示器１は、図７に示すように、液晶表示器からなり画像を表示する表示部１１の画面に透明なシート状であるタッチスイッチからなる操作部１２を重ね合わせた構成の操作表示部を備える。表示器１は、操作表示部を入出力装置とした一種のコンピュータであり、表示部１１に表示する画像および操作部１２の操作による指示内容を規定するデータを格納するメモリ１３と、メモリ１３に格納されたデータを用いて表示部１１に画像を表示するとともに操作部１２による指示内容を監視するＣＰＵである制御部１０とを備える。さらに、データ転送が可能なインターフェース１４を備える（たとえば、特許文献１参照）。
【０００３】
上述した構成の表示器１を動作させるには、表示部１１の画面を構成する画像データをメモリ１３に格納するとともに、表示部１１の画面に表示された画像に対応付けて操作部１２による指示内容を規定する動作情報データをメモリ１３に格納する必要がある。ところで、表示部１１に画像を表示させる表示用画像データにはビットマップ形式の画像データが採用されている。これは、ビットマップ形式の画像データはベクトル形式の画像データに比較するとデータ量が多くなるものの制御部１０の処理負荷が小さくなるからである。
【０００４】
表示用画像データは表示器１とは別に設けたデータ作成装置２（図６参照）を用いて作成され、インターフェース１４を通してデータ作成装置２から転送されメモリ１３に格納される。データ作成装置２には、作図用プログラムを実行するパーソナルコンピュータが用いられる。ところで、ビットマップ形式の画像データを作成するよりもベクトル形式の画像データを作成するほうが、図形を正確に描きやすく、図形の変形や移動も容易であるから、作図の際にはベクトル形式の画像データを作成する作図用プログラムが用いられる。
【０００５】
つまり、データ作成装置２ではベクトル形式の画像データによる作図を行い、作図後にベクトル形式からビットマップ形式に変換し、ビットマップ形式に変換された表示用画像データを表示器１に転送する技術が採用されている。ベクトル形式の画像データには文字コードおよび文字属性データ（フォント、色、サイズ等を決めるデータ）が含まれる場合があり、文字コードおよび文字属性データで特定される文字もビットマップ形式の画像データに変換される。なお、文字はベクトルフォントを用いる。
【０００６】
データ作成装置２では、ソース画像データの各図形で表される部品に対応付けて動作情報データも作成される。動作情報データはソース画像データに結合されているから、ソース画像データから生成された表示用画像データとは別に、ソース画像データと動作情報データとが表示器１に転送される。ソース画像データを表示器１に転送するのは、動作情報データがソース画像データに対応付けられているからであり、また表示器１の表示内容を修正したり変更したりする場合に備える意味でもある。つまり、表示器１のメモリ１３には、表示用画像データのほか、表示用画像データの作成に用いたソース画像データおよび動作情報データが格納される。表示器１の表示内容を変更する際には、データ作成装置２において、表示器１のメモリ１３からソース画像データを吸い上げ、ソース画像データに変更を加えた後に表示用画像データに変換し、この表示用画像データによって表示器１のメモリ１３に格納されている表示用データを更新する。
【０００７】
なお、ビットマップ形式の画像データに変更を加えるのは手間がかかり、またベクトル形式からビットマップ形式への変換は容易であるが、ビットマップ形式からベクトル形式への変換は容易でないという理由で、表示器１の動作中には無用であるソース画像データを表示器１に保持していることには有用性がある。また、ソース画像データをデータ作成装置２で管理することは可能であるが、管理すべき表示器１の台数が多くなるとデータ作成装置２に大容量の記憶装置が必要になる上に、表示器１とソース画像データとの対応関係の管理に手間がかかる。このことからも、表示器１において表示用画像データと一対一に対応するソース画像データを格納しておけば、データ作成装置２の記憶容量や管理に関する問題が解消されることになる。
【０００８】
いま、表示部１１に図８に示す画面を表示する場合を想定する。また、表示器１は設備を制御するプログラマブルコントローラ３に接続されているものとする。図８において、領域Ｄ１は文字を表示する表示窓に相当し、領域Ｄ２，Ｄ３はそれぞれスイッチの操作釦に相当する。操作部１２において領域Ｄ２，Ｄ３に対応する範囲を指で触れると、プログラマブルコントローラは設備の運転または停止を行う。また、領域Ｄ２に触れることにより設備が運転されると、領域Ｄ１には図示例のように「運転中」の文字が示され、領域Ｄ３に触れることにより設備が停止すると、領域Ｄ１には「計画停止」の文字が示される。また、設備が運転前にウォーミングアップなどを行っている期間には、領域Ｄ１に「準備中」の文字が表示される。つまり、各領域Ｄ１〜Ｄ３に表示する図形が部品になる。なお、この例では領域Ｄ１には３種類の文字が選択的に表示されるが、１つの領域Ｄ１〜Ｄ３を１個の部品とみなす。
【０００９】
つまり、上述の動作には、表示用画像データとして、領域Ｄ１に対応する「運転中」「準備中」「計画停止」という１個の部品Ｐ１と、領域Ｄ２に対応する「運転」という部品Ｐ２と、領域Ｄ３に対応する「停止」という部品Ｐ３とが必要になる。したがって、データ作成装置２では、図９のように３種類の部品Ｐ１〜Ｐ３について、ソース画像データＳＤ１〜ＳＤ３と動作情報データＡＳ１〜ＡＳ３とが作成される。さらに、データ作成装置２では、図１０に示すように、表示器１に表示するためのビットマップ形式の表示用画像データＤＤ１〜ＤＤ３が各部品Ｐ１〜Ｐ３ごとに生成される。
【００１０】
データ作成装置２から表示器１へのデータの転送時には、図１１に示すように、各部品Ｐ１〜Ｐ３の表示用画像データＤＤ１〜ＤＤ３を結合して転送され、また、各部品Ｐ１〜Ｐ３の動作情報データＡＳ１〜ＡＳ３は各部品Ｐ１〜Ｐ３のソース画像データＳＤ１〜ＳＤ３に結合した状態で転送される。表示器１のメモリ１３にはデータを受信した順で、表示用画像データＤＤ１〜ＤＤ３と動作情報データＡＳ１〜ＡＳ３とソース画像データＳＤ１〜ＳＤ３とが格納される。領域Ｄ２，Ｄ３が操作されると、そのときの画面に対応する動作情報データＡＳ１〜ＡＳ３が参照され、領域Ｄ１に示される各文字が切り換えられる。
【特許文献１】特再２００１−０２３９７０号公報
【発明の開示】
【発明が解決しようとする課題】
【００１１】
上述したようにデータ作成装置２では、作図により生成されたソース画像データＳＤ１〜ＳＤ３に動作情報データＡＳ１〜ＡＳ３が結合されており、データ作成装置２から表示器１にデータを転送する際には、ソース画像データＳＤ１〜ＳＤ３からの変換により生成された表示用画像データＤＤ１〜ＤＤ３と、部品Ｐ１〜Ｐ３ごとにソース画像データＳＤ１〜ＳＤ３に結合した動作情報データＡＳ１〜ＡＳ３とを転送し、一方、表示器１では表示用画像データＤＤ１〜ＤＤ３を用いて表示部１１に画像を表示し、ソース画像データＳＤ１〜ＳＤ３と混在してメモリ１３に配置されている動作情報データＡＳ１〜ＡＳ３を抽出して操作部１２の指示内容を規定する。つまり、表示器１のメモリ１３上では、各部品Ｐ１〜Ｐ３の動作情報データＡＳ１〜ＡＳ３がソース画像データＳＤ１〜ＳＤ３と混在しているから、動作情報データＡＳ１〜ＡＳ３の抽出に要する処理負荷が増大するという問題が生じる。
【００１２】
本発明は上記事由に鑑みて為されたものであり、その目的は、動作情報データをあらかじめベクトル形式のソース画像データとは分離して表示器に転送することにより、表示器における動作情報データの抽出を容易にして表示器の処理負荷を軽減し、結果的に表示器の処理速度を従来よりも高速化することが可能な表示器用のデータ作成装置を提供することにある。
【課題を解決するための手段】
【００１３】
請求項１の発明は、機器の動作監視および動作指示に用いられる表示器との間でデータ転送が可能であり表示器を動作させるデータを作成するデータ作成装置であって、表示器は、画像を表示する表示部および表示部の表示内容に応じた指示が可能な操作部と、表示部に表示する画像および操作部による指示内容を規定するデータを格納するメモリと、メモリに格納されたデータを用いて表示部に画像を表示するとともに操作部による指示内容を監視する制御部と、メモリに格納するデータのデータ転送が可能なインターフェースとを備え、メモリに格納されるデータは、表示部の画面の表示に用いるビットマップ形式の画像データである表示用画像データと、画像データに対応付けて操作部による指示内容を規定する動作情報データと、表示用画像データと一対一対応するソース画像データとを含んでおり、ソース画像データおよび動作情報データの作成に用いるデータ作成部と、データ作成部を用いて作成されたソース画像データを表示用画像データに変換するデータ変換部と、表示用画像データと動作情報データとソース画像データとを個別に格納するデータ記憶部と、表示器との間でデータ転送が可能であって画像データと動作情報データとソース画像データとの種類別にデータを表示器に転送するデータ転送部とを備えることを特徴とする。
【００１４】
この構成によれば、表示用画像データと動作情報データとをソース画像データとは分離して表示器に転送することができるから、作成時にはソース画像データに結合されていた動作情報データが、あらかじめソース画像データから分離した形で表示器に転送され、表示器では動作情報データの抽出が容易になり、表示器での処理負荷が軽減される。つまり、表示器の処理速度の向上が期待できる。
【００１５】
請求項２の発明は、請求項１の発明において、前記データ転送部が、前記表示器に複数画面分のデータを転送する際に、表示用画像データと動作情報データとの画面ごとの組を複数組まとめて転送した後に、複数画面分のソース画像データをまとめて転送することを特徴とする。
【００１６】
この構成によれば、表示器の動作に必要な表示用画像データと動作情報データとをまとめて表示器に転送するから、表示器へのデータ伝送が中断しソース画像データを表示器に転送できない場合でも、表示用画像データと動作情報データとが転送済みであれば表示器の動作が可能になる。また、表示用画像データと動作情報データとは画面ごとに組にして転送しているから、１画面単位でデータが転送されており、転送中に異常が生じた場合でも、未転送の画面に関するデータのみを転送すればよく、転送処理が簡単になる。
【００１７】
請求項３の発明は、請求項１の発明において、前記データ転送部が、前記表示器に複数画面分のデータを転送する際に、表示用画像データと動作情報データとの画面ごとの組を１組転送するたびにソース画像データを１画面分転送する第１の動作と、表示用画像データと動作情報データとの画面ごとの組を複数組まとめて転送した後に、複数画面分のソース画像データをまとめて転送する第２の動作とが選択可能であることを特徴とする。
【００１８】
この構成によれば、第１の動作では、表示用画像データと動作情報データとソース画像データとを１画面分ずつ転送するから、データの並べ替えの処理が不要である。また、第２の動作では、表示器の動作に必要な表示用画像データと動作情報データとをまとめて表示器に転送するから、表示器へのデータ伝送が中断しソース画像データを表示器に転送できない場合でも、表示用画像データと動作情報データとが転送済みであれば表示器の動作が可能になる。また、表示用画像データと動作情報データとは画面ごとに組にして転送しているから、１画面単位でデータが転送されており、転送中に異常が生じた場合でも、未転送の画面に関するデータのみを転送すればよく、転送処理が簡単になる。
【００１９】
請求項４の発明は、請求項１ないし請求項３のいずれかの発明において、前記データ転送部が、前記ソース画像データのみについて可逆符号方式の圧縮を行い前記表示器に転送することを特徴とする。
【００２０】
この構成によれば、表示器を動作させるために用いないソース画像データについては圧縮しているから、通常はソース画像データのデータ量を圧縮前よりも小さくすることができる。ソース画像データについて、データ量を低減すると、表示器の記憶容量の増加を抑制することができ、また表示器との間で転送するデータ量を低減して転送時間の短縮化が可能になる。
【００２１】
請求項５の発明は、請求項１ないし請求項３のいずれかの発明において、前記データ転送部が、前記ソース画像データのみについて可逆符号方式の圧縮を行うか圧縮を行わないかを選択するとともに、前記表示器に転送するソース画像データに圧縮したか非圧縮であるかを識別するフラグを付加する機能を有することを特徴とする。
【００２２】
この構成によれば、表示器を動作させるために用いないソース画像データについては圧縮するか否かを選択可能とし、圧縮したか非圧縮であるかを示すフラグを付加しておくことにより、ソース画像データを確実に再現することが可能になる。ここに、圧縮と非圧縮とを選択可能としているのは、圧縮の方法やデータ量によっては、圧縮前のほうが圧縮後よりもデータ量が小さくなることがあるからであって、圧縮後のデータと圧縮前のデータとのどちらを転送するかは、データ量の大きさにより選択する。なお、データ量の小さいほうを選択することにより、表示器の記憶容量の増加を抑制することができ、また表示器との間で転送するデータ量を低減して転送時間の短縮化が可能になる。
【発明の効果】
【００２３】
本発明の構成によれば、表示用画像データと動作情報データとをソース画像データとは分離して表示器に転送することができるから、作成時にはソース画像データに結合されていた動作情報データが、あらかじめソース画像データから分離した形で表示器に転送され、表示器では動作情報データの抽出が容易になって、表示器での処理負荷が軽減されるという利点を有し、結果的に表示器の処理速度の向上が期待できる。
【発明を実施するための最良の形態】
【００２４】
本実施形態に示すデータ作成装置は、適宜のプログラムを実行するパーソナルコンピュータにより実現されるものであって、ソース画像データおよび動作情報データを作成するとともに、ソース画像データから表示用画像データを生成し、さらに従来構成として説明した表示器との間でデータ転送を行うことにより、表示用画像データ、動作状態データ、ソース画像データを表示器に転送する機能を有する。また、データ作成装置では表示器からデータを読み出すことも可能になっている。
【００２５】
図１に示すように、データ作成装置２は、ＣＰＵである制御処理部２０を備え、ディスプレイ装置２６とキーボードやマウスのような入力装置２７とを用いて、ベクトル形式の画像データと動作情報データとを対話的に作成するデータ作成部２１を備える。データ作成部２１では、表示器１に設けた表示部１１（図７参照）の画面に表示する表示窓や操作釦のような部品ごとの図形を作図することによりベクトル形式の画像データである（ビットマップ形式の画像データを含む場合もある）ソース画像データを作成し、かつ各図形に対応付ける動作情報データを作成する。なお、ソース画像データには部品を配置する背景となる図形も含まれる。データ作成部２１において作成されるソース画像データは、ハードディスクのような大容量記憶装置からなるデータ記憶部２３に格納するのが望ましいが、表示器１にデータを転送するまでの間だけデータを一時的に保持するために半導体メモリをデータ記憶部２３として用いてもよい。
【００２６】
動作情報データは、部品がスイッチの操作釦であれば操作時におけるプログラマブルコントローラへの指示内容を決め、また部品が表示窓であればスイッチの操作に対する表示内容やプログラマブルコントローラからの入力に対する表示内容を決める。また、動作情報データは、部品がスイッチであれば位置の情報を含み、この情報により、操作部１２のどの領域をスイッチの操作釦として機能させるかを決める。
【００２７】
ところで、表示器１の動作に必要なデータは、表示器１に表示する表示用画像データと、各部品に関する動作情報データである。そこで、データ作成装置２は、ベクトル形式であるソース画像データをビットマップ形式である表示用画像データに変換するデータ変換部２２を備える。データ変換部２２は、ソース画像データに結合している動作情報データをソース画像データから分離して表示用画像データに表示される各部品に対応付ける機能も有している。変換後の画像データおよび動作情報データは、ソース画像データとともにデータ記憶部２３に格納される。
【００２８】
データ作成装置２は、表示器１のインターフェース１４（図７参照）との間でデータ転送が可能となるデータ転送部２４を備えており、データ転送部２４では、表示用画像データと動作情報データとソース画像データとを種類別に区切って表示器１に転送する。データ転送部２４から表示器１にデータを転送する方法は、ディスプレイ装置２６および入力装置２７を用いて以下のいずれかの方法から選択することができる。
【００２９】
第１の方法は、表示用画像データと動作情報データとソース画像データとをそのまま転送する方法である。この方法は、表示器１に与えるデータ量に対して表示器１のメモリ１３（図７参照）の記憶容量が大きい場合に採用することができる。
【００３０】
ところで、一般に表示器１の１画面を表示するには、図８に示した表示例のように、複数個の部品に関するデータが必要である。そこで、１画面のすべての部品について表示用画像データと動作情報データとソース画像データとをデータの種類別にまとめて転送する方法とを採用している。図２に示すように、すべての部品について、表示用画像データＤＤ１〜ＤＤ３、動作情報データＡＳ１〜ＡＳ３、ソース画像データＳＤ１〜ＳＤ３をそれぞれ結合している。
【００３１】
上述したように、表示用画像データＤＤ１〜ＤＤ３と動作情報データＡＳ１〜ＡＳ３とソース画像データＳＤ１〜ＳＤ３とを種類別に転送するから、ソース画像データＳＤ１〜ＳＤ３については転送するか否かを容易に選択することができる。そこで、第２の方法を選択することができる。
【００３２】
第２の方法は、ソース画像データＳＤ１〜ＳＤ３を表示器１に転送せずに、図３に示すように、表示用画像データＤＤ１〜ＤＤ３と動作情報データＡＳ１〜ＡＳ３とを表示器１に転送する方法である。この方法は、表示器１に与えるデータ量に対して表示器１のメモリ１３（図７参照）の記憶容量が少ない場合に採用することができる。つまり、表示器１の動作には直接関係しないソース画像データＳＤ１〜ＳＤ３は表示器１に転送せず、表示器１の動作に必要な表示用画像データＤＤ１〜ＤＤ３と動作情報データＡＳ１〜ＡＳ３とだけを表示器１に転送する。この場合、表示器１の動作の修正や変更に備えて、ソース画像データＳＤ１〜ＳＤ３はデータ作成装置２で管理するのが望ましい。
【００３３】
第３の方法は、図４に示すように、ソース画像データＳＤ１〜ＳＤ３のみについて可逆符号方式の圧縮を行い、表示用画像データＤＤ１〜ＤＤ３と動作情報データＡＳ１〜ＡＳ３と圧縮したソース画像データＳＤ１〜ＳＤ３とを転送する方法である。この方法を採用すると、ソース画像データＳＤ１〜ＳＤ３を表示器１に保持させるから、データ作成装置２によるソース画像データＳＤ１〜ＳＤ３の管理が不要になり、しかもソース画像データＳＤ１〜ＳＤ３が圧縮されているから、表示器１の動作に直接関係しないソース画像データＳＤ１〜ＳＤ３によるメモリ１３の占有を抑制することができる。
【００３４】
ところで、圧縮方式や圧縮するデータ量によっては、圧縮しないほうがデータ量が少なくなる場合も考えられる。そこで、データ変換部２２は、ソース画像データＳＤ１〜ＳＤ３を圧縮する場合と圧縮しない場合とでどちらのほうがデータ量が少なくなるかを判断する機能を備えている。この判断では、実際にソース画像データＳＤ１〜ＳＤ３を圧縮した場合のデータ量と圧縮しない場合のデータ量とを比較する。判断後にはデータ量の少ないほうのデータを転送用として選択するとともに、圧縮したデータか非圧縮のデータであるかを識別するための圧縮情報Ｆ（フラグ）を付加して表示器１に転送する。つまり、ソース画像データＳＤ１〜ＳＤ３を圧縮するか非圧縮とするかを選択することができ、データ量に応じて第１の方法と第３の方法との一方を選択する。
【００３５】
上述した各方法は、表示器１に表示する１画面のデータに関する処理であるが、データ転送部２４においては、複数画面分のデータを表示器１に転送する場合に、１画面分ずつのデータを転送する動作と、複数画面分のデータを一括して転送する動作とを選択することもできる。１画面分ずつのデータを転送する動作は、上述した動作であるが、複数画面分のデータを転送する動作では、表示用画像データと動作情報データとについては各画面ごとに組にして複数組を転送し、ソース画像データについては表示用画像データおよび動作情報データとは別に、複数画面分のソース画像データを結合して転送する。
【００３６】
以上説明したように、第１の方法ではソース画像データを非圧縮とし、ソース画像データを含めて表示器にデータを転送する。また、第２の方法ではソース画像データは表示器に転送せず、表示器には表示用画像データと動作情報データのみを保持させる。第３の方法では、ソース画像データを圧縮し表示用画像データおよび動作情報データとともに表示器に転送する。なお、転送の際には、表示用画像データと動作情報データとソース画像データとは、表示器に個々に転送することができ、また、表示用画像データと動作情報データとソース画像データとを、１画面分ずつの単位で転送するか複数画面分をまとめて転送するかを選択することができるのである。
【００３７】
複数画面分のデータを表示器に転送する場合であって、各画面には複数個の部品が含まれ、かつ表示用画像データと動作情報データとを一括して転送する場合を想定した処理手順を図５にまとめて示す。ただし、第１の方法のうち個々の部品別にデータを転送する場合は、とくに処理を必要としないから、この処理については省略する。
【００３８】
表示器にデータを転送するときには、まず、データ作成部２１において画面の構成を作図し、画面上の部品に動作情報データを対応付けた後、表示器へのデータの転送の準備を開始する。データ変換部２２では、ベクトル形式のソース画像データから各部品の表示用画像データを新規に生成する（Ｓ１）。このとき、ソース画像データから動作情報データを分離する。
【００３９】
次に、各部品ごとの表示用画像データを１つに結合することにより、表示用画像データからなる転送用データを作成する。この転送用データは１つのファイルとして管理する（Ｓ２）。同様にして、各部品ごとの動作情報データも１つに結合し、表示用画像データを管理しているファイルに結合する（Ｓ３）。
【００４０】
次に、データ転送部２４では、ソース画像データを表示器に転送するか否かを指示に従って判定する（Ｓ４）。ソース画像データを表示器に転送しない場合（第２の方法）には、表示用画像データと動作情報データとだけを表示器に転送する（Ｓ１２）。また、１画面分ずつ転送するか、複数画面分まとめて転送するかを指示に従って判定する（Ｓ５）。ステップＳ４，Ｓ５の指示は、ディスプレイ装置２６と入力装置２７とを用いて利用者が与える。１画面分ずつ転送する場合には、１画面単位で表示用画像データと動作情報データとソース画像データとを一旦展開した後に結合し（Ｓ６）、複数画面分まとめて転送する場合には、全画面分の表示用画像データと動作情報データとソース画像データとを一旦展開した後に結合する（Ｓ７）。
【００４１】
ソース画像データについては圧縮を行い（Ｓ８）、圧縮後のデータ量と圧縮前のデータ量とを比較する（Ｓ９）。圧縮前のデータ量よりも圧縮後のほうが大きい場合にはソース画像データを圧縮せずに転送する（Ｓ１０）。また、圧縮前のデータ量よりも圧縮後のデータ量のほうが小さい場合にはソース画像データを圧縮して転送する（Ｓ１１）。
【００４２】
なお、上述の動作は一例であり、条件判断を行わずにいずれか単独の処理のみを行うように構成することも可能である。
【図面の簡単な説明】
【００４３】
【図１】本発明の実施形態を示すブロック図である。
【図２】同上の動作説明図である。
【図３】同上の動作説明図である。
【図４】同上の動作説明図である。
【図５】同上の処理手順を示す動作説明図である。
【図６】データ作成装置と表示器との接続関係を示す構成図である。
【図７】表示器を示すブロック図である。
【図８】表示器の画面の表示例を示す動作説明図である。
【図９】データ作成装置の動作説明図である。
【図１０】同上の動作説明図である。
【図１１】従来技術における動作説明図である。
【符号の説明】
【００４４】
１  表示器
２  データ作成装置
１０  制御部
１１  表示部
１２  操作部
１３  メモリ
１４  インターフェース
２１  データ作成部
２２  データ変換部
２３  データ記憶部
２４  データ転送部
【図１】
2007140682.tif 000003
【図２】
2007140682.tif 000004
【図３】
2007140682.tif 000005
【図４】
2007140682.tif 000006
【図５】
2007140682.tif 000007
【図６】
2007140682.tif 000008
【図７】
2007140682.tif 000009
【図８】
2007140682.tif 000010
【図９】
2007140682.tif 000011
【図１０】
2007140682.tif 000012
【図１１】
2007140682.tif 000013